(57)【要約】【課題】複数の極大点が存在する場合に、より効率的かつ確実に最大電力点を探索できるようにする。【解決手段】最大電力点追従制御モード及び最大電力点探索制御モードを含む複数の制御モードのいずれかで入出力電力制御を行う制御部１１を有し、太陽電池３から入力する発電電力を変換して出力する太陽光発電用パワーコンディショナ２において、入力電力の極大点の個数を設定するための設定手段１２を備え、制御部１１は、最大電力点探索制御モード時に、設定手段１２による設定値を制御パラメータとして用いるようにする。【選択図】図２
2014164725.tif 000002
【特許請求の範囲】
【請求項１】
最大電力点追従制御モード及び最大電力点探索制御モードを含む複数の制御モードのいずれかで入出力電力制御を行う制御部を有し、太陽電池から入力する発電電力を変換して出力する太陽光発電用パワーコンディショナにおいて、
入力電力の極大点の個数を設定するための設定手段を備え、前記制御部は、最大電力点探索制御モード時に、前記設定手段による設定値を制御パラメータとして用いることを特徴とする太陽光発電用パワーコンディショナ。
【請求項２】
請求項１に記載の太陽光発電用パワーコンディショナにおいて、前記制御部は、最大電力点探索制御モード時に前記設定値と同数の入力電力の極大点を検出した時点で当該探索制御モードを終了して最大電力点追従制御モードに切替えるように構成されていることを特徴とする太陽光発電用パワーコンディショナ。
【請求項３】
請求項１に記載の太陽光発電用パワーコンディショナにおいて、最大電力点追従制御モード及び最大電力点探索制御モードは、目標入力電圧を所定の変動幅で変動させるステップを有する所定のアルゴリズムに基づいて入出力電力制御を行うものであり、前記最大電力点探索制御モード時の前記変動幅は、最大電力点追従制御モード時の前記変動幅よりも大きく、かつ、前記設定値に基づいて定められることを特徴とする太陽光発電用パワーコンディショナ。
【請求項４】
請求項３に記載の太陽光発電用パワーコンディショナにおいて、最大電力点追従制御モード時の前記変動幅は、前記設定値が大きいほど小さい値に設定されることを特徴とする太陽光発電用パワーコンディショナ。
【発明の詳細な説明】
【技術分野】
【０００１】
本発明は、太陽光発電用パワーコンディショナに関する。
【背景技術】
【０００２】
この種従来の太陽光発電用パワーコンディショナは、例えば下記の特許文献１又は２に開示されているように、いわゆる山登り法によって最大電力点に追従して入出力制御を行うように構成されたものが一般的である。しかし、特許文献１にも開示されているように、太陽電池モジュールの直接数の異なる（すなわち開放電圧の異なる）複数の太陽電池アレイを昇圧接続箱を介さずに並列にパワーコンディショナに接続した場合や、太陽電池アレイの一部に建物の影が落ちる場合などに、複数の極大点が生じ（いわゆる２山問題）、一般的な山登り法では最大電力を取り出すことができない場合がある。
【０００３】
そのため、特許文献１に記載のパワーコンディショナでは、所定の周期で広い電圧範囲での入力電力を走査することにより、現在追従している極大点とは別の極大点を検出して、いわゆる２山問題を解決し、最大電力を取り出すことができるようにしている。
【先行技術文献】
【特許文献】
【０００４】
【特許文献１】特許第３５６３８６５号公報
【特許文献２】特開昭６２−８５３１２号公報
【発明の概要】
【発明が解決しようとする課題】
【０００５】
しかし、他の極大点を探索する際には、最大電力点とは異なる動作点で入出力電力制御がなされるため、探索は効率よく短い時間で行うことが好ましい。
【０００６】
一方、複数の太陽電池アレイの構成や設置状況等によっては、３つ以上の極大点が生じる場合があるが、上記従来の技術では極大点の数に応じた最適制御は考慮されていなかった。
【０００７】
そこで、本発明は、複数の極大点が存在する場合に、より効率的かつ確実に最大電力点を探索できるようにすることを目的とする。
【課題を解決するための手段】
【０００８】
上記目的を達成するために、本発明は、次の技術的手段を講じた。
【０００９】
すなわち、本発明は、最大電力点追従制御モード及び最大電力点探索制御モードを含む複数の制御モードのいずれかで入出力電力制御を行う制御部を有し、太陽電池から入力する発電電力を変換して出力する太陽光発電用パワーコンディショナにおいて、入力電力の極大点の個数を設定するための設定手段を備え、前記制御部は、最大電力点探索制御モード時に、前記設定手段による設定値を制御パラメータとして用いることを特徴とするものである（請求項１）。
【００１０】
本発明によれば、接続した太陽電池アレイの構成等により生じると想定される極大点の個数を設定手段によって設定することができ、この設定値を最大電力点探索制御モード時に制御パラメータとして用いて入出力電力制御することができるので、想定極大点の数に応じて最適なアルゴリズムや各種制御パラメータを用いてより短時間で確実に最大電力点を検出できるように設計することができる。
【００１１】
また、前記制御部は、最大電力点探索制御モード時に前記設定値と同数の入力電力の極大点を検出した時点で当該探索制御モードを終了して最大電力点追従制御モードに切替えるように構成されているものとすることができる（請求項２）。これによれば、設定した個数の極大点を検出した時点で探索を終了して、検出した極大点のうち最大の動作点で最大電力点追従制御モード（ＭＰＰＴ制御）を実行することができ、探索時間を短縮して電力効率が低下することを防止できる。
【００１２】
また、最大電力点追従制御モード及び最大電力点探索制御モードは、目標入力電圧を所定の変動幅で変動させるステップを有する所定のアルゴリズムに基づいて入出力電力制御を行うものであり、前記最大電力点探索制御モード時の前記変動幅は、最大電力点追従制御モード時の前記変動幅よりも大きく、かつ、前記設定値に基づいて定められるものとすることができる（請求項３）。上記アルゴリズムとしてはいわゆる山登り法を好適に採用でき、また、目標入力電圧を所定の変動幅で変動させる周期よりも、入力電圧及び入力電流をサンプリングする周期を早くして、入力電圧が目標入力電圧に至るまでの変動前後の目標入力電圧の中間の動作点における入力電力を計測することが好ましい。これによれば、最大電力点追従制御モードと最大電力点探索制御モードとを同様のアルゴリズムとしているため、制御パラメータを変更するだけで最大電力点の探索を行うことができ、制御プログラムの簡素化を図ることができる。また、探索制御モード時は目標入力電圧の変動幅を大きくすることによって、現在追従している極大点が存在する動作点の「山」を超えて他の「山」に動作点を移行させて他の極大点を検出することが可能になる。また、入力電力の極大点の数（すなわち山の数）による変動幅を最適設計することによって、より高速かつ確実に複数の極大点を検出することが可能である。
【００１３】
さらに、最大電力点追従制御モード時の前記変動幅は、前記設定値が大きいほど小さい値に設定されるものとすることができる（請求項４）。すなわち、例えば、開放電圧が同じで極大点の数（山の数）が２つの場合と３つの場合を想定すると、同じ電圧幅の中に極大点が密集することとなる３つの場合の方が極大点同士の間隔が狭くなり、２つの場合の方が広くなる確率が高い。そのような場合において、変動幅が小さすぎると極大点が２つの場合に山を越えられず、現在追従している山の範囲で動作点が往復変動するのみで他の山を検出することができないし、また、変動幅が大きすぎると発電電力の増減幅も大きくなり、最大電力点以外で動作する時間が多くなってしまい電力効率が悪くなってしまうことがある。したがって、想定される極大点の数に応じて変動幅を最適に設定することで、可能な限り電力ロスを低減しつつも、一般的なＭＰＰＴ制御のアルゴリズムで複数の極大点を探索して最大電力点を検出することが可能となる。
【００１４】
なお、上記探索制御モードは、制御部による入出力電力制御開始時に実行されることが好ましく、また、日照条件の変化等によって最大電力点が他の極大点に移行してしまうことに対応するため、制御開始後においても定期的に実行することも可能である。
【発明の効果】
【００１５】
以上説明したように、本発明の請求項１に係る太陽光発電用パワーコンディショナによれば、接続した太陽電池アレイの構成等により生じると想定される極大点の個数を設定手段によって設定することができ、この設定値を最大電力点探索制御モード時に制御パラメータとして用いて入出力電力制御することができるので、想定極大点の数に応じて最適なアルゴリズムや各種制御パラメータを用いてより短時間で確実に最大電力点を検出できるように設計することができる。
【００１６】
また、本発明の請求項２に係る太陽光発電用パワーコンディショナによれば、設定した個数の極大点を検出した時点で探索を終了して、検出した極大点のうち最大の動作点で最大電力点追従制御モード（ＭＰＰＴ制御）を実行することができ、探索時間を短縮して電力効率が低下することを防止できる。
【００１７】
また、本発明の請求項３に係る太陽光発電用パワーコンディショナによれば、最大電力点追従制御モードと最大電力点探索制御モードとを同じアルゴリズムとしているため、制御パラメータを変更するだけで最大電力点の探索を行うことができ、制御プログラムの簡素化を図ることができる。また、探索制御モード時は目標入力電圧の変動幅を大きくすることによって、現在追従している極大点が存在する動作点の「山」を超えて他の「山」に動作点を移行させて他の極大点を検出することが可能になる。また、入力電力の極大点の数（すなわち山の数）による変動幅を最適設計することによって、より高速かつ確実に複数の極大点を検出することが可能である。
【００１８】
また、本発明の請求項４に係る太陽光発電用パワーコンディショナによれば、想定される極大点の数に応じて変動幅を最適に設定することで、可能な限り電力ロスを低減しつつも、一般的なＭＰＰＴ制御のアルゴリズムで複数の極大点を探索して最大電力点を検出することが可能となる。
【図面の簡単な説明】
【００１９】
【図１】本発明の一実施形態に係る太陽光発電用パワーコンディショナを含む発電システムの概略ブロック構成図である。
【図２】最大電力点探索制御モードの第１実施例の作用説明をするための入力電力のＶ−Ｐ特性を示すグラフである。
【図３】最大電力点探索制御モードの第１実施例の作用説明をするための入力電力のＶ−Ｐ特性を示すグラフである。
【図４】最大電力点探索制御モードの第１実施例の作用説明をするための入力電力のＶ−Ｐ特性を示すグラフである。
【図５】最大電力点探索制御モードの第２実施例の作用説明をするための入力電力のＶ−Ｐ特性を示すグラフである。
【図６】最大電力点探索制御モードの第２実施例の作用説明をするための入力電力のＶ−Ｐ特性を示すグラフである。
【発明を実施するための形態】
【００２０】
以下、本発明の好適な実施形態を図面に基づいて説明する。
【００２１】
図１は本発明の一実施形態に係る発電システムを示し、該発電システムは、電力源としての太陽光発電部１と、該太陽光発電部１からの入力電力を系統電力に連系する交流電力に変換して出力するパワーコンディショナ２と、パワーコンディショナ２の動作状況表示や操作を行うためのリモコン装置２０とを備えており、家庭内や構内の電気負荷（図示せず）に対してパワーコンディショナ２による変換後の発電電力を供給するとともに、発電電力の余剰電力を系統に逆潮流させることで売電可能に構成されている。
【００２２】
上記太陽光発電部１は、複数の太陽電池アレイ３と、この複数の太陽電池アレイ３の出力を集約する接続箱４とを備えており、各太陽電池アレイ３は複数の太陽電池モジュール（太陽電池パネルともいう。）を複数並べて直列接続したものであり、各太陽電池モジュールは多数の太陽電池セルを配列して屋外で利用できるよう樹脂や強化ガラスなどで保護しパッケージ化したものである。なお、本実施形態の接続箱４は昇圧機能を有しておらず、各太陽電池アレイ３を並列に接続するものである。
【００２３】
各太陽電池アレイ３は同一の電力特性や開放電圧を有するものを用いることが好ましいが、最近の太陽光発電への関心の高まりもあり、太陽光発電システムの導入に適さない構造の屋根への施工が要求されることも少なくなく、屋根の構造等によっては直列接続した太陽電池モジュールの数が異なるものを用いざるを得ない場合がある。例えば、開放電圧２５Ｖの太陽電池モジュールを１０枚直列に接続した太陽電池アレイ３の開放電圧は２５０Ｖとなり、９枚の場合は２２５Ｖとなり、８枚の場合は２００Ｖとなるが、太陽電池の特性上、異なる開放電圧の太陽電池アレイ３を並列に接続しても発電動作を行うことができるが、入力電力に複数の極大点が生じることとなる。
【００２４】
パワーコンディショナ２は、上記電力源から供給される入力電力を昇圧・安定化して出力するＤＣ／ＤＣコンバータ５と、該コンバータ５の出力をＤＣ／ＡＣ変換して商用系統電力に系統連系する交流電力を出力するインバータ６と、これらコンバータ５及びインバータ６を制御する制御部１１と、入力電力に極大点の個数を設定するためのディップスイッチや記憶媒体などからなる設定手段１２とを備えており、該設定手段１２は制御部１１の入力ポートに接続されて、その設定値を制御部１１が適宜参照可能に構成されている。なお、設定手段１２を記憶媒体で構成する場合には、リモコン装置２０によって設定操作を行えるようにすることができる。
【００２５】
また、コンバータ５の入力電圧を測定する電圧センサ７、入力電流を測定する電流センサ８を備えるとともに、インバータ６の出力電圧を測定する電圧センサ９、出力電流を測定する電流センサ１０を備えており、これらセンサの検出信号をＡ／Ｄ変換して制御部１１に入力し、制御部１１はこれら入力データに基づいて入力電力及び出力電力を演算によって求めることができるように構成されている。
【００２６】
コンバータ５は、昇圧チョッパ回路と平滑回路とによって主構成されており、ＩＧＢＴなどの適宜のスイッチング素子に駆動パルスを供給することによって入力直流電力を昇圧して出力するようになっており、スイッチング素子への駆動パルスのパルス幅をＰＷＭ制御することによって出力側へ流れる電流量を制御するとともに該電流量に応じ太陽光発電部のＶ−Ｉ特性にしたがって電圧が制御されるようになっている。
【００２７】
インバータ６は、種々の回路構成とすることができるが、太陽光発電用パワーコンディショナにおいては、インバータブリッジを構成する複数のＩＧＢＴなどのスイッチング素子をそれぞれＰＷＭ電流制御することによって直流電力から所望の電流波形及び電圧波形の交流電力を出力する電圧形インバータが一般に用いられている。該インバータ６は、制御部１１によるスイッチング素子のＰＷＭ制御による電流モード制御により、出力交流電力の有効電力制御や無効電力制御を行う。
【００２８】
制御部１１は、コンバータ５を制御することによって入出力電力制御を行い、該入出力電力制御は、最大電力点追従制御モード（ＭＰＰＴ制御）と、最大電力点探索制御モード（本明細書においてＭＰＰＳ制御（Maximum Power Point Searching）という。）とを制御モードとして備え、各制御モードを適宜切替えるようにプログラム構成されている。好ましくは、太陽電池の出力上昇や再起動などによる入出力電力制御の開始初期にＭＰＰＳ制御モードとし、最大電力点の探索終了後にＭＰＰＴ制御モードに切替えることが好ましい。また、ＭＰＰＴ制御開始後も、所定の周期（例えば数十分や数時間ごとなど）でＭＰＰＳ制御による再探索を行うことも可能である。また、ＭＰＰＴ制御とＭＰＰＳ制御以外の適宜の制御モードを備えていてもよい。
【００２９】
ＭＰＰＴ制御については従来周知の制御アルゴリズムを採用でき、本実施形態ではいわゆる山登り法を採用しており、目標入力電圧を所定の制御幅ΔＶ（例えば１Ｖ）で電圧上昇若しくは電圧下降の方向へ所定周期（例えば１００〜３００ミリ秒）毎に変動させつつ、該変動周期よりも早い周期（例えば１０〜３０ミリ秒）で入力電圧及び入力電流をサンプリングし、この複数のサンプリング値に基づいて入力電力が減少したことを検出すると電圧の変動方向を反転させ、かかる制御を繰り返すことによって最大電力点近傍で動作するようになっている。また、制御部１１は最大電力点の入力電圧を記憶する最大電力点記憶手段を備えており、上記サンプリング値に基づいて検出された最大電力点の情報を記憶手段に記憶更新し、一旦ＭＰＰＴ制御が中断された後の制御再開時などに記憶手段に記憶された最大電力点の情報に基づいて目標入力電圧を設定できるようになっている。なお、上記サンプリング周期は、目標入力電圧の変動周期の１／１０程度とすることが好ましい。
【００３０】
ＭＰＰＳ制御は、上記設定手段１２によって設定された設定値を制御パラメータとして用いて入力電力に複数の極大点が存在する場合でも最大電力点を探索するよう入出力電力制御を行う制御モードである。
【００３１】
（ＭＰＰＳ制御の第１実施例）
第１実施例に係るＭＰＰＳ制御の構成及び動作を図２〜図４を参照しつつ説明する。
【００３２】
第１実施例に係るＭＰＰＳ制御は、その制御アルゴリズムは上記ＭＰＰＴ制御と同じものであり、したがって、同じプログラムの実行によって実現されている。但し、制御パラメータである目標入力電圧の制御幅ΔＶを数十Ｖ程度と非常に大きく設定している点がＭＰＰＴ制御と異なる。また、この制御幅ΔＶは、設定手段１２によって設定された設定値に応じて異なる値が設定されるようになっており、設定値が大きいほど小さい制御幅ΔＶが設定されるようにしている。
【００３３】
図２〜図４に示すＭＰＰＳ制御の第１実施例では、設定値が「２」のときは制御幅ΔＶとして４０Ｖが設定され、設定値が「３」のときは制御幅ΔＶとして２０Ｖが設定される。
【００３４】
より詳細に説明すると、図２は開放電圧が２００Ｖの太陽電池アレイと２５０Ｖの太陽電池アレイとを接続したときのＶ−Ｐ特性曲線を示しており、開放電圧の異なる２種類の太陽電池アレイを用いたことから電力の極大点が２つ生じ得ることが予め想定されるため、施工時に施工業者によって設定手段に「２」が設定されている。また、太陽電池の特性上、最大電力点は開放電圧のおよそ８０％付近であり、２００Ｖの太陽電池アレイの最大電力点は１６０Ｖ付近にあると想定され、２５０Ｖの太陽電池アレイの最大電力点は２００Ｖ付近にあると想定され、これら極大点の差は４０Ｖとなるため、設定手段に「２」が設定されている場合の変動幅ΔＶとしては４０Ｖとしている。なお、この変動幅ΔＶは、本発明のパワーコンディショナに接続されると想定される太陽電池アレイの電力特性等に応じて、販売する各発電システム毎に適宜設定することができる。また、ＭＰＰＳ制御開始時の目標電圧は開放電圧（２５０Ｖ）の９０％である２２５Ｖとし、また、制御開始時の電圧変動方向は下降方向に設定している。なお、開放電圧を初期電圧として探索を開始してもよいし、また、０Ｖから電圧上昇方向に探索を開始することもできる。
【００３５】
図２〜図４に丸付き数字で示したポイントは、各目標入力電圧における動作点であり、丸１が動作点１、丸２が動作点２・・・（以下同様）である。制御開始時の動作点１から目標入力電圧を４０Ｖ減少させると、これに応答して入力電圧及び入力電力は図２に示すＶ−Ｉ特性曲線に沿って動作点２まで変動していく。上記サンプリング周期は、入力電圧が次の目標電圧の動作点に変動するために要する時間と同程度の周期間隔となされており、これにより、各動作点の中間の入力電力を検出できるようにしている。
【００３６】
動作点１から動作点２に変動する際、２５０Ｖの太陽電池アレイの最大電力点に対応する動作点Ｐ１の入力電圧が上記最大電力点記憶手段に記憶される。また、動作点１よりも動作点２の方が大きい電力であるため、電圧変動方向を維持してさらに目標入力電圧を４０Ｖ減少させて動作点３まで変動させる。このときの各サンプリング値に基づいて求められる電力値が最大電力点記憶手段に記憶された値よりも大きければ随時記憶手段に上書き更新され、その結果、最大電力点記憶手段には２００Ｖの太陽電池アレイの最大電力点に対応する動作点Ｐ２の入力電圧が記憶される。さらに、動作点３は動作点２よりも大きい電力であるため、電圧変動方向を維持して目標入力電圧をさらに４０Ｖ減少させて動作点４まで変動させると、入力電力が大きく低下することが検出されるために極大点を通り過ぎたと判定し、ここで電圧変動方向を反転させて同様の制御を繰り返し、図示矢印のように電圧変動する。
【００３７】
かかるＭＰＰＳ制御は、目標入力電圧の変動が１０回程度行われる迄継続するように構成し、本実施例では１秒でＭＰＰＳ制御を終了して、このとき最大電力点記憶手段に記憶されている電圧を目標入力電圧としてＭＰＰＴ制御を開始するように構成している。なお、ＭＰＰＳ制御の継続時間は、ＭＰＰＳ制御を行う毎に最大電力点を検出するのに要した時間を計測して、その平均時間を設定することもできる。
【００３８】
図２に示す実施例では、変動幅ΔＶを４０Ｖとしているために動作点３と動作点４の間では最大電力点から大きく外れて動作し、これにより電力のロスが生じることとなるが、変動幅ΔＶを小さくすると最大電力点ではない極大点を有する山で停滞してしまい、最大電力点を探索することができなくなるため、これらのトレードオフを考慮して設計する必要がある。例えば、図３は変動幅ΔＶを２０Ｖとした場合の動作を示しており、動作点５から動作点６へ変動したときは電力が上昇しているが、動作点６から動作点７へ変動するときは電力が減少傾向となるためここで電圧変動方向が反転され、図示矢印のように２５０Ｖの太陽電池アレイの電力特性に基づく山で停滞してしまう。
【００３９】
図４は、開放電圧が２００Ｖ、２２５Ｖ及び２５０Ｖの太陽電池アレイを接続したときのＶ−Ｐ特性曲線を示しており、開放電圧の異なる３種類の太陽電池アレイを用いたことから電力の極大点が３つ生じ得ることが予め想定されるため、施工時に施工業者によって設定手段に「３」が設定されている。また、２００Ｖの太陽電池アレイの最大電力点は１６０Ｖ付近にあると想定され、２２５Ｖの太陽電池アレイの最大電力点は１８０Ｖ付近にあると想定され、２５０Ｖの太陽電池アレイの最大電力点は２００Ｖ付近にあると想定され、これら隣接する極大点の差は２０Ｖとなるため、設定手段に「３」が設定されている場合の変動幅ΔＶとしては２０Ｖとしている。
【００４０】
この場合も、初期目標入力電圧の動作点８から動作点１１までは電力上昇傾向が検出され、うまく山を越えることができることが図示例から明かである。また、変動幅ΔＶを２０Ｖと比較的小さくしているため、図２の場合に比して最大電力点から大きく外れたところで動作することが少なく、電力のロスが低減されていることが分かる。
【００４１】
（ＭＰＰＳ制御の第２実施例）
図５及び図６はＭＰＰＳ制御の第２実施例を示しており、本実施例では、ＭＰＰＴ制御とは異なるアルゴリズムで広い電圧範囲を走査して確実に最大電力点を検出できるようにしている。
【００４２】
すなわち、最大電力点が存在すると想定される所定の探索電圧範囲について、１Ｖ〜数Ｖ程度の小さな制御量ΔＶで電圧減少方向（図５参照）若しくは電圧増加方向（図６参照）に一方向に目標入力電圧を変動させつつ入力電圧及び入力電流のサンプリング値に基づいて電力の極大点を探索し、検出された極大点の数をカウントするとともに各極大点の電圧値及び電力値を記憶しておく。そして、設定手段１２によって設定された設定値（制御パラメータ）と同数の極大点が検出されるか、或いは、上記探索電圧範囲を全て探索終了した時点でＭＰＰＳ制御を終了し、記憶された複数の極大点のうち最大電力のものを目標入力電圧として、ＭＰＰＴ制御を開始するように構成している。
【００４３】
探索電圧範囲は、本発明のパワーコンディショナとセット販売される太陽電池アレイの電力特性等に応じて予め設定することができ、例えば、２００Ｖの開放電圧の太陽電池アレイと２５０Ｖの開放電圧の太陽電池アレイとの組み合わせをシステム構成としてメーカーが許容するとすると、図５に示すように目標入力電圧を高圧側から低圧側に向けて探索する場合には、探索開始電圧は入力電圧センサ７によって検出する開放電圧か若しくは該開放電圧の９０％程度とすることができ、探索終了電圧は、（検出開放電圧−組み合わせを許容する太陽電池アレイの開放電圧の差）×８０％とすることができ、図５の例では探索開始電圧＝２５０Ｖ×９０％＝２２５Ｖ、探索終了電圧＝（２５０Ｖ−５０Ｖ）×８０％＝１６０Ｖとしている。
【００４４】
また、図６に示すように目標入力電圧を低圧側から高圧側に向けて探索する場合には、探索開始電圧は０Ｖか若しくは組み合わせを許容する太陽電池アレイのうち最低の開放電圧の６０％程度とし、探索終了電圧は、検出開放電圧の９０〜９５％程度とすることができる。図６の例では、探索開始電圧＝２００Ｖ×６０％＝１２０Ｖ、探索終了電圧＝２５０Ｖ×９５％≒２４０Ｖとしている。
【００４５】
本実施例によれば、設定した極大点の数と同数の極大点が探索電圧範囲の走査によって検出された時点でＭＰＰＳ制御を終了するため、確実かつ短時間で最大電力点を検出することができ、無駄な走査を省略することにより電力ロスを削減し、一層の電力効率の向上を図ることができる。
【００４６】
以上説明したように、本実施形態のパワーコンディショナによれば、接続した太陽電池アレイの種類や特性により発生するであろうと想定される極大点の数を設定手段によって設定し、この設定値に基づいて最大電力点の探索制御モードの制御内容を最適設計することが可能であるため、複数の電力の山がある場合であってもより確実に短時間で最大電力点を検出できる。
【００４７】
本発明は上記実施形態に限定されるものではなく、適宜設計変更可能である。例えば、全く同じ仕様の複数の太陽電池アレイを接続する場合でも、屋根の構造や周辺施設等により一部の太陽電池アレイの日照条件が悪い場合にもいわゆる２山問題が生じるため、そのような場合にも本発明を適用することが可能である。また、ＭＰＰＴ制御としてはいわゆる山登り法の他、従来公知の適宜のアルゴリズムを採用することも可能である。
【符号の説明】
【００４８】
３  太陽電池アレイ（太陽電池）
１１  制御部
１２  設定手段
【図１】
2014164725.tif 000003
【図２】
2014164725.tif 000004
【図３】
2014164725.tif 000005
【図４】
2014164725.tif 000006
【図５】
2014164725.tif 000007
【図６】
2014164725.tif 000008